【手続補正書】
【提出日】平成18年1月27日(2006.1.27)
【手続補正１】
【補正対象書類名】特許請求の範囲
【補正対象項目名】全文
【補正方法】変更
【補正の内容】
【特許請求の範囲】
【請求項１】
５ｍｍ以下の粒度のたばこ葉廃材を含むたばこ廃材粉砕物と、前記たばこ廃材粉砕物より少ない量の接着性を有する材料又は接着性を有する材料及び殺菌作用を有する物質を含有して、１ミリメートル以上の粒度に形成されている粒状物であることを特徴とする粒状の排泄物処理材。
【請求項２】
５ｍｍ以下の粒度のたばこ葉廃材を含むたばこ廃材粉砕物と、前記たばこ廃材粉砕物より少ない量の有機質廃材と、たばこ廃材より少ない量の接着性を有する材料又は接着性を有する材料及び殺菌作用を有する物質を含有して、１ミリメートル以上の粒度に形成されている粒状物であることを特徴とする粒状の排泄物処理材。
【請求項３】
５ｍｍ以下の粒度のたばこ葉廃材を含むたばこ廃材粉砕物と、前記たばこ廃材より少ない量の接着性を有する材料又は接着性を有する材料及び殺菌作用を有する物質とを含有して、１ミリメートル以上の粒度に形成されている粒状芯部と、該粒状芯部の少なくとも一部表面を覆い、１ｍｍ以下の粒度の紙粉及び接着性を有する材料を含有する被覆層部とを備える乾燥被覆粒状物であることを特徴とする粒状の排泄物処理材。
【請求項４】
５ｍｍ以下の粒度のたばこ葉廃材を含むたばこ廃材粉砕物と、たばこ廃材粉砕物より少ない量の有機質廃材と、前記たばこ廃材より少ない量の接着性を有する材料又は接着性を有する材料及び殺菌作用を有する物質とを含有して、１ミリメートル以上の粒度に形成されている粒状芯部と、該粒状芯部の少なくとも一部表面を覆い、１ｍｍ以下の粒度の紙粉及び接着性を有する材料を含有する被覆層部とを備える乾燥被覆粒状物であることを特徴とする粒状の排泄物処理材。
【請求項５】
接着性を有する材料は、接着剤又は接着剤及び吸水性樹脂であることを特徴とする請求項１乃至４の何れか一項に記載の粒状の排泄物処理材。
【請求項６】
粒状物の接着性を有する材料が、接着剤又は接着剤及び３０μｍ以下の粒度の吸水性樹脂であることを特徴とする請求項１乃至４の何れか一項に記載の粒状の排泄物処理材。
【請求項７】
粒状芯部の接着性を有する材料が、接着剤又は接着剤及び３０μｍ以下の粒度の吸水性樹脂であることを特徴とする請求項３又は４に記載の粒状の排泄物処理材。
【請求項８】
被覆層部の接着性を有する材料が、接着剤又は接着剤及び３０乃至１００μｍの粒度の吸水性樹脂であることを特徴とする請求項３又は４に記載の粒状の排泄物処理材。
【請求項９】
有機質廃材粉砕物が、プラスチック廃材粉砕物若しくは有機質材料廃棄物粉砕物又はプラスチック廃材粉砕物及び有機質材料廃棄物粉砕物を含有する混合物であることを特徴とする請求項２又は４に記載の粒状の排泄物処理材。
【請求項１０】
被覆層部に含まれる紙粉は、顔料又は染料で着色されている紙粉粒子を含有することを特徴とする請求項３又は４に記載の粒状の排泄物処理材。
【請求項１１】
被覆層部に含まれる紙粉の粒度が０．５ｍｍ以下であることを特徴とする請求項３又は４に記載の粒状の排泄物処理材。
【請求項１２】
被覆粒状物は、芯部若しくは被覆層部又は芯部及び被覆部に、さらに添加物質を含有することを特徴とする請求項３又は４に記載の粒状の排泄物処理材。
【請求項１３】
添加物質が、脱臭作用を有する物質又は脱臭作用を有する物質及び界面活性剤であることを特徴とする請求項１２に記載の粒状の排泄物処理材。
【請求項１４】
殺菌作用を有する物質が、防黴剤、防腐剤若しくは殺菌剤又はこれら二以上薬剤を含有するものであることを特徴とする請求項１乃至４の何れか一項に記載の粒状の排泄物処理材。
【請求項１５】
５ｍｍ以下の粒度のたばこ葉廃材を含むたばこ廃材粉砕物に、前記たばこ廃材粉砕物より少ない量の接着性を有する材料又は接着性を有する材料及び殺菌作用を有する物質を混合し、この混合物を水の存在下に造粒して、１ミリメートル以上の粒度の粒状物を形成し、この形成された粒状物を乾燥して、水分含有率が１２重量％以下の乾燥粒状物を製造することを特徴とする粒状の排泄物処理材の製造方法。
【請求項１６】
５ｍｍ以下の粒度のたばこ葉廃材を含むたばこ廃材粉砕物に、たばこ廃材粉砕物より少ない量の有機質廃材と、前記たばこ廃材より少ない量の接着性を有する材料又は接着性を有する材料及び殺菌作用を有する物質とを混合し、この混合物を水の存在下に造粒して、１ミリメートル以上の粒度の粒状物を形成し、この形成された粒状物を乾燥して、水分含有率が１２重量％以下の乾燥粒状物を製造することを特徴とする粒状の排泄物処理材の製造方法。
【請求項１７】
５ｍｍ以下の粒度のたばこ葉廃材を含むたばこ廃材粉砕物に、前記たばこ廃材粉砕物より少ない量の接着性を有する材料又は接着性を有する材料及び殺菌作用を有する物質とを混合し、この混合物を水の存在下に造粒して、１ミリメートル以上の粒度の粒状物を形成し、この粒状物に、紙粉及び接着性を有する材料を含有する被覆組成物を散布して、前記粒状物の少なくとも一部表面を前記被覆組成物により被覆して、前記粒状物の表面上に被覆組成物で形成された被覆層を有する被覆粒状物を形成し、この形成された被覆粒状物を乾燥して、水分含有率が１２重量％以下の乾燥被覆粒状物を製造することを特徴とする被覆粒状の排泄物処理材の製造方法。
【請求項１８】
５ｍｍ以下の粒度のたばこ葉廃材を含むたばこ廃材粉砕物に、前記たばこ廃材粉砕物より少ない量の有機質廃材、接着性を有する材料又は接着性を有する材料及び殺菌作用を有する物質とを混合し、この混合物を水の存在下に造粒して、１ミリメートル以上の粒度の粒状物を形成し、この粒状物に、紙粉及び接着性を有する材料を含有する被覆組成物を散布して、前記粒状物の少なくとも一部表面を前記被覆組成物により被覆して、前記粒状物の表面上に被覆組成物で形成された被覆層を有する被覆粒状物を形成し、この形成された被覆粒状物を乾燥して、水分含有率が１２重量％以下の乾燥被覆粒状物を製造することを特徴とする被覆粒状の排泄物処理材の製造方法。
【請求項１９】
被覆組成物は、さらに脱臭作用を有する物質若しくは界面活性剤又は脱臭作用を有する物質及び界面活性剤の中の二以上の物質を含有するものであることを特徴とする請求項１７又は１８に排泄物処理材の製造方法。
【請求項２０】
接着性を有する材料が、接着剤又は接着剤及び吸水性樹脂含有するものであることを特徴とする請求項１５乃至１８に記載の粒状の排泄物処理材の製造方法。
【請求項２１】
有機質廃材粉砕物が、プラスチック廃材粉砕物若しくは有機質材料廃棄物粉砕物又はプラスチック廃材粉砕物及び有機質材料廃棄物粉砕物であることを特徴とする請求項１６又は１８に記載の粒状の排泄物処理材の製造方法。
【請求項２２】
殺菌作用を有する物質が、防黴剤、防腐剤若しくは殺菌剤又はこれら二以上薬剤を含有することを特徴とする請求項１５乃至１８の何れか一項に記載の粒状の排泄物処理材の製造方法。
【手続補正２】
【補正対象書類名】明細書
【補正対象項目名】０００５
【補正方法】変更
【補正の内容】
【０００５】
即ち、本発明は、５ｍｍ以下の粒度のたばこ葉廃材を含むたばこ廃材粉砕物と、前記たばこ廃材粉砕物より少ない量の接着性を有する材料又は接着性を有する材料及び殺菌作用を有する物質を含有して、１ミリメートル以上の粒度に形成されている粒状物であることを特徴とする粒状の排泄物処理材にあり、また、本発明は、５ｍｍ以下の粒度のたばこ葉廃材を含むたばこ廃材粉砕物と、前記たばこ廃材粉砕物より少ない量の有機質廃材と、たばこ廃材より少ない量の接着性を有する材料又は接着性を有する材料及び殺菌作用を有する物質を含有して、１ミリメートル以上の粒度に形成されている粒状物であることを特徴とする粒状の排泄物処理材にある。
【手続補正３】
【補正対象書類名】明細書
【補正対象項目名】０００６
【補正方法】変更
【補正の内容】
【０００６】
そして、本発明は、５ｍｍ以下の粒度のたばこ葉廃材を含むたばこ廃材粉砕物と、前記たばこ廃材より少ない量の接着性を有する材料又は接着性を有する材料及び殺菌作用を有する物質とを含有して、１ミリメートル以上の粒度に形成されている粒状芯部と、該粒状芯部の少なくとも一部表面を覆い、１ｍｍ以下の粒度の紙粉及び接着性を有する材料を含有する被覆層部とを備える乾燥被覆粒状物であることを特徴とする粒状の排泄物処理材にあり、また、本発明は、５ｍｍ以下の粒度のたばこ葉廃材を含むたばこ廃材粉砕物と、たばこ廃材粉砕物より少ない量の有機質廃材と、前記たばこ廃材より少ない量の接着性を有する材料又は接着性を有する材料及び殺菌作用を有する物質とを含有して、１ミリメートル以上の粒度に形成されている粒状芯部と、該粒状芯部の少なくとも一部表面を覆い、１ｍｍ以下の粒度の紙粉及び接着性を有する材料を含有する被覆層部とを備える乾燥被覆粒状物であることを特徴とする粒状の排泄物処理材にある。
【手続補正４】
【補正対象書類名】明細書
【補正対象項目名】０００７
【補正方法】変更
【補正の内容】
【０００７】
そして、本発明は、５ｍｍ以下の粒度のたばこ葉廃材を含むたばこ廃材粉砕物に、前記たばこ廃材粉砕物より少ない量の接着性を有する材料又は接着性を有する材料及び殺菌作用を有する物質を混合し、この混合物を水の存在下に造粒して、１ミリメートル以上の粒度の粒状物を形成し、この形成された粒状物を乾燥して、水分含有率が１２重量％以下の乾燥粒状物を製造することを特徴とする粒状の排泄物処理材の製造方法にあり、また、本発明は、５ｍｍ以下の粒度のたばこ葉廃材を含むたばこ廃材粉砕物に、たばこ廃材粉砕物より少ない量の有機質廃材と、前記たばこ廃材より少ない量の接着性を有する材料又は接着性を有する材料及び殺菌作用を有する物質とを混合し、この混合物を水の存在下に造粒して、１ミリメートル以上の粒度の粒状物を形成し、この形成された粒状物を乾燥して、水分含有率が１２重量％以下の乾燥粒状物を製造することを特徴とする粒状の排泄物処理材の製造方法にある。
【手続補正５】
【補正対象書類名】明細書
【補正対象項目名】０００８
【補正方法】変更
【補正の内容】
【０００８】
そして本発明は、５ｍｍ以下の粒度のたばこ葉廃材を含むたばこ廃材粉砕物に、前記たばこ廃材粉砕物より少ない量の接着性を有する材料又は接着性を有する材料及び殺菌作用を有する物質とを混合し、この混合物を水の存在下に造粒して、１ミリメートル以上の粒度の粒状物を形成し、この粒状物に、紙粉及び接着性を有する材料を含有する被覆組成物を散布して、前記粒状物の少なくとも一部表面を前記被覆組成物により被覆して、前記粒状物の表面上に被覆組成物で形成された被覆層を有する被覆粒状物を形成し、この形成された被覆粒状物を乾燥して、水分含有率が１２重量％以下の乾燥被覆粒状物を製造することを特徴とする被覆粒状の排泄物処理材の製造方法にあり、また、本発明は、５ｍｍ以下の粒度のたばこ葉廃材を含むたばこ廃材粉砕物に、前記たばこ廃材粉砕物より少ない量の有機質廃材、接着性を有する材料又は接着性を有する材料及び殺菌作用を有する物質とを混合し、この混合物を水の存在下に造粒して、１ミリメートル以上の粒度の粒状物を形成し、この粒状物に、紙粉及び接着性を有する材料を含有する被覆組成物を散布して、前記粒状物の少なくとも一部表面を前記被覆組成物により被覆して、前記粒状物の表面上に被覆組成物で形成された被覆層を有する被覆粒状物を形成し、この形成された被覆粒状物を乾燥して、水分含有率が１２重量％以下の乾燥被覆粒状物を製造することを特徴とする被覆粒状の排泄物処理材の製造方法にある。